(57)【要約】【課題】給湯部に加えて風呂への給湯を可能にするとともにこれらの給湯温度をバックアップバーナにより好適に上昇するようにした排熱利用のコージェネレーションシステムの提供。【解決手段】給水源（５）からのライン（Ｌ１）は給湯用の第１のバックアップバーナ（７ａ）に接続され、分岐ライン（Ｌ６）は第１の制御弁（Ｖ１）を介して燃料電池１の熱交換器（２）に接続され、ライン（Ｌ８）は風呂用の循環系統に接続され、ライン（Ｌ６）と熱交換器（２）からのライン（Ｌ８）とには第２の制御弁（Ｖ２）を介装したバイパスライン（Ｌｂ）が接続され、第２のバックアップバーナ（７ｂ）からのライン（Ｌ１０）は風呂（１１）に接続され、排熱循環ライン（Ｌ１１）、ライン（Ｌ８）に温度センサ（Ｔ１）、（Ｔ２）が設けられ、第１および第２の制御弁（Ｖ１、Ｖ２）を制御する制御装置（１２）を設けている。【選択図】  図１
2008107083.tif 000002
【特許請求の範囲】
【請求項１】
燃料電池又はガスエンジンの排熱を利用したコージェネレーションにおいて、給水源からのラインは給湯用の第１のバックアップバーナに接続されると共に、前記ラインから分岐したラインは第１の制御弁を介して排熱と熱交換する熱交換器に接続され、その熱交換器からのラインは風呂用の循環系統に接続され、前記分岐したラインと前記熱交換器からのラインとには第２の制御弁を介装したバイパスラインが接続され、前記風呂用の循環系統は第２のバックアップバーナと風呂に接続されており、前記熱交換器が介装されている排熱循環ラインには第１の温度センサが設けられ、前記熱交換器からのラインには第２の温度センサが設けられ、前記第１および第２の温度センサからの信号によって前記第１および第２の制御弁を制御する制御装置を設けたことを特徴とするコージェネレーションシステム。
【請求項２】
給水源からのラインが、混合手段を介して第１のバックアップバーナへ連通するラインと貯湯槽へ連通するラインとに分岐しており、混合手段からは貯湯槽に接続するラインが出ており、貯湯槽からの第１のラインはポンプと開閉弁を介して前記熱交換器の上流側に接続され、貯湯槽からの第２のラインは開閉弁を介して熱交換器の下流側に接続され、前記第１及び第２の制御弁の上流側に開閉弁を介装し、前記第１の温度センサからの信号により前記ポンプを制御する制御装置を設けた請求項１記載のコージェネレーションシステム。
【発明の詳細な説明】
【技術分野】
【０００１】
本発明は、燃料電池又はガスエンジン等の内燃機関の排熱を利用したコージェネレーションシステムに関し、特にバックアップバーナを用いたコージェネレーションシステムに関する。
【背景技術】
【０００２】
燃料電池の排熱を利用し、かつバックアップバーナを用いたコージェネレーションシステムは知られている。本発明をよく理解するために一例として図７を参照して本発明を燃料電池に適用した場合を説明する。
図７において本発明のコージェネレーションシステムを実施した燃料電池１は排熱による熱交換器２を備え、その熱交換器２は別置きのタンク３にラインＬ１を介して加熱した湯を給湯し、またタンク３からの水はラインＬ２を介して熱交換器２に送られる。図中２ａは熱交換器２のライン中に設けたポンプである。
【０００３】
このタンク３は全体を符号４で示す給湯装置に設けられており、このタンク３に給水源５からの給水がラインＬ３を介して供給するようになっており、同時にこのラインＬ３は混合手段６（ミキサー、通常は混合弁）に接続され、またタンク３からのラインＬ３も混合手段６に接続されている。そして混合手段６で混合された湯はバックアップバーナ７からラインＬ５を介して給湯部８に送られるようになっている。なおラインＬ５には弁Ｖが設けられている。
【０００４】
使用に際してタンク３に湯が溜まっている場合は、上水と混合して給湯し、その際バックアップバーナ７は使用しないが、タンク３上部温度が低い場合にはバックアップバーナ７でお湯を作るようになっている。
かかるコージェネレーションシステムは、燃料電池１の場合でなくても、例えばガスエンジン、ディーゼルエンジン等に適用できる。
【０００５】
このように給湯装置では、主な構成要素として燃料電池１とタンク３と混合手段６とバックアップバーナ７とが必要となり、これらの構成要素をそれぞれ別置きとすると、スペースが必要となるために図７に示すようにタンク３と混合手段６とバックアップバーナ７とよりなる給湯装置４をユニットとし、これを燃料電池１と接続して使用していた。
【０００６】
しかしながら、近時効率の向上に伴い、タンク３の容量を小さくしたい場合、或いは必要湯量の増大に伴いタンク３の容量を大きくしたい場合に、図７に示す装置では装置（給湯装置）４の全体を取扱わねばならず、タンク３のみを変更することは困難である。
【０００７】
そのために図８に示すように燃料電池１と混合手段６とバックアップバーナ７とを一体のユニット４０とし、タンク３のみを別置きとした技術が提案された。この図８において図７と対応する部品はすべて同じ符号で示している。
【０００８】
しかしながら、図７、８に示す技術では、バックアップバーナ７は給湯部８に対して設けられているが、風呂に対するバックアップバーナが設けられておらず、風呂への給湯加熱が十分とはいえなかった。
【０００９】
なお、本出願人は特許文献１において家庭用の風呂に好適な給湯作業を行うことが可能な燃料電池の排熱回収機構を提案しているが、該提案では、浴槽を貯湯槽として利用する利点等があるがバックアップバーナが設けられていない。
【００１０】
【特許文献１】特開２００２−３７２３０３号公報
【発明の開示】
【発明が解決しようとする課題】
【００１１】
従って、本発明の目的は、給湯に加えて風呂への給湯を可能にした排熱利用のコージェネレーションシステムを提供することにある。
【課題を解決するための手段】
【００１２】
本発明によれば、燃料電池１又はガスエンジンの排熱を利用したコージェネレーションにおいて、給水源５からのラインＬ１は給湯用の第１のバックアップバーナ７ａに接続されると共に、前記ラインＬ１から分岐したラインＬ６は第１の制御弁Ｖ１を介して排熱（例えば、燃料電池１の様な排熱源で加熱された温水）と熱交換する熱交換器２に接続され、その熱交換器２からのラインＬ８は風呂用の循環系統（例えば、第２のバックアップバーナ７ｂの戻りラインＬ９）に接続され、前記分岐したラインＬ６と熱交換器２からのラインＬ８とには第２の制御弁Ｖ２を介装したバイパスラインＬｂが接続され、第２のバックアップバーナ７ｂからの往きのラインＬ１０は風呂１１に接続され、前記熱交換器２が介装されている排熱循環ライン（Ｌ１１：燃料電池１の様な排熱源で加熱された温水が流れるライン）には第１の温度センサＴ１が設けられ、前記ラインＬ８には第２の温度センサＴ２が設けられ、前記第１および第２の温度センサＴ１、Ｔ２からの信号によって前記第１および第２の制御弁Ｖ１、Ｖ２を制御する制御装置１２を設けている。（図１、請求項１）
【００１３】
そして本発明によれば、給水源５からのラインＬ１２が、混合手段６を介して第１のバックアップバーナ７ａへ連通するラインＬ１と貯湯槽３へ連通するラインＬ１３とに分岐Ｂ１しており、混合手段６からは貯湯槽３に接続するラインＬ１４が出ており、貯湯槽３からの第１のラインＬ１５はポンプＰ３と開閉弁ＶＰ２を介して前記熱交換器２の上流側に接続Ｇ３され、貯湯槽３からの第２のラインＬ１６は開閉弁ＶＰ３を介して熱交換器２の下流側に接続Ｇ４され、前記第１及び第２の制御弁Ｖ１、Ｖ２の上流側（ラインＬ６において分岐点Ｂ２よりもラインＬ１側の領域）に開閉弁ＶＥを介装し、前記第１の温度センサＴ１からの信号により前記ポンプＰ３を制御する制御装置１２を設けている（図２、請求項２）。
【００１４】
本発明の実施に際し、燃料電池のスタックの出口の温度を所定温度範囲内にするために、熱交換器を流れる給水の量を、前記出口温度が高いときは多く、低いときは少なく流すように弁を制御する様に構成することが出来る（図３）。
【００１５】
また本発明の実施に際し、熱交換器で加熱された給湯の温度を所定温度にするために、熱交換器出口の給湯温度が高いときは給水源からの給水量を多くし、そして低いときは給水量を少なくするように弁を制御する様に構成することが出来る（図４）。
【００１６】
さらに本発明の実施に際して、貯湯槽が満タン状態になるまで、前述したスタック出口の温度により、貯湯槽から熱交換器に湯（温水）を圧送するポンプの吐出量を制御することができる。
また、貯湯槽が満タン時の温度となった場合には、貯湯槽から熱交換器への流れを閉じ、そして給水源から混合手段を介して熱交換器に流れるように弁を制御する様に構成することが出来る。
このように構成すれば、貯湯槽には給水が流入せず、混合手段から熱交換器に比較的に温度の低い水（温水）を流すことができる（図５）。
【００１７】
そして本発明の実施に際し、風呂への給湯が終了し且つ貯湯槽が満タン時には、燃料電池を停止するか或いはラジエータで冷却する様に構成することが出来る（図６）。
換言すれば、貯湯槽の満タン時に風呂等への給湯がない場合にラジエータで冷却する様に構成すれば、燃料電池の運転を継続することが出来るのである。
【発明の効果】
【００１８】
本発明の作用効果を以下に列挙する。
（１）  燃料電池の運転に不可欠なスタック温度制御と、風呂お湯張り温度制御が分けられているので、燃料電池１の安定した運転と、設定温度での浴槽貯湯が両立出来る。
（２）  燃料電池から回収した温水を浴槽に貯めることでタンクが省略出来る。
（３）  貯湯槽を増設する場合は、熱回収率が向上する。
【発明を実施するための最良の形態】
【００１９】
以下、添付図面を参照して、本発明の実施形態を説明する。
【００２０】
先ず、図１、図３及び図４を参照して、第１実施形態を説明する。
【００２１】
図１において、燃料電池１は、排熱循環ラインＬ１１と、排熱循環ラインＬ１１を流れる熱媒体にスタックで発生した排熱を投入するための熱交換器１ａと、排熱循環ラインＬ１１を流れる熱媒体にカソード排ガスが保有する熱量を投入するための熱交換器１ｂと、排熱循環ラインＬ１１を流れる熱媒体にアノード排ガスが保有する熱量を投入するための熱交換器１ｃと、熱交換器２とを有している。
【００２２】
換言すれば、排熱循環ラインＬ１１には、熱交換器１ａ〜１ｃと熱交換器２が介装されており、さらに、第１の温度センサＴ１と循環用ポンプＰ１が介装されている。
【００２３】
排熱循環ラインＬ１１では循環用ポンプＰ１を駆動することにより熱媒体がスタック１ａ、カソード排ガス１ｂ、アノード排ガス１ｃによって熱をもらい、熱交換器２において給水側に熱を与えるように構成されている。尚、熱をもらう対象としては、スタック１ａ、カソード排ガス１ｂ、アノード排ガス１ｃに限定するものではない。
【００２４】
給水源５からのラインＬ１は給湯用の第１のバックアップバーナ７ａに接続されると共に、前記ラインＬ１から分岐点Ｂ１で分岐したラインＬ６は第１の制御弁Ｖ１を介して前記熱交換器２に接続されている。その熱交換器２からはラインＬ８が風呂用の第２のバックアップバーナ７ｂの戻りラインＬ９の合流点Ｇ２に接続されている。そのラインＬ９には残り湯汲み上げ用第２のポンプＰ２が介装されている。
【００２５】
前記ラインＬ６とラインＬ８とには第２の制御弁Ｖ２を介装したバイパスラインＬｂがラインＬ６側の分岐点Ｂ２とラインＬ８側の合流点Ｇ１で接続されている。また、第２のバックアップバーナ７ｂからの往きのラインＬ１０は風呂１１に接続されている。
前記ラインＬ８の合流点Ｇ１と合流点Ｇ２の間の領域には流れ方向に順に第２の温度センサＴ２及び開閉弁Ｖ３が設けられ、前記第１および第２の温度センサＴ１、Ｔ２からの信号によって前記第１および第２の制御弁Ｖ１、Ｖ２を制御する制御装置１２が設けられている。
【００２６】
給湯用の第１のバックアップバーナ７ａと給湯部８とを接続するラインＬ５と、風呂戻りラインＬ９の循環ポンプＰ２と第２のバックアップバーナ７ｂとの間の領域は開閉バルブＶ１０を介装したバイパスラインＬｂ２で接続されており、浴槽に早く湯を張りたい場合はその開閉バルブＶ１０を開くことにより、燃料電池１側の熱交換器２からの湯と、第１のバックアップバーナ７ａからの湯が同時に浴槽１１に給湯される。
更に図示はしてないが、風呂給湯流量センサ、又は風呂水位センサにより浴槽に所定量の温水が満たされたことを検知したら前記開閉弁Ｖ３を閉じて浴槽への貯湯が終了となるように構成されている。
図１では示されてはいないが、燃料電池１の冷却水が流れる排熱循環ラインＬ１１にラジエータ（図示せず）を介装し、貯湯槽の満タン時に風呂等への給湯がない場合には、燃料電池１の冷却水を当該ラジエータで冷却する様に構成すれば、その様な場合（貯湯槽が満タンで且つ風呂需要及び／又は給湯需要がゼロか或いは極めて少ない場合）であっても、燃料電池１の運転を継続することが出来る。
【００２７】
ここで、該制御装置１２が行う給湯制御の方法について図３及び図４を参照して説明する。
【００２８】
図３は、燃料電池１の排熱循環ラインＬ１１においてスタック出口の温度を一定にしたい場合の、即ち、熱交換器２において給水側に投入する熱量を加減する制御である。
図３において、先ず第１の温度センサＴ１によって排熱循環ラインＬ１１を流過する流体の温度（スタック出口温度ｔ１）を計測する（ステップＳ１）。
【００２９】
制御装置１２はスタック出口温度ｔ１が所定範囲内であるか否かを判断しており（ステップＳ２）、所定温度範囲であれば（ステップＳ２のＹＥＳ）、ステップＳ６まで進み、所定温度範囲内でない場合は（ステップＳ２のＮＯ）ステップＳ３に進む。
【００３０】
ステップＳ３では制御装置１２はスタック出口温度ｔ１が所定範囲未満かそれとも所定範囲を超えているかを判断しており、所定範囲未満であれば第１の制御弁Ｖ１の開度を小さくし、給水の速度を抑えることによって排熱循環ラインＬ１１内の流体の温度を上げ（ステップＳ４）、反対に所定範囲を超えていれば第１の制御弁Ｖ１の開度を大きくし、給水の速度を増やすことによって排熱循環ラインＬ１１内の流体の温度を下げる（ステップＳ５）。
【００３１】
その後、制御装置１２は制御を終了するか否かを判断して（ステップＳ６）、制御終了であればそのまま終了する。一方終了しないのであれば（ステップＳ６のＮＯ）、ステップＳ１に戻り、再び同様の制御を繰り返す。
【００３２】
図４は、風呂１１への給湯ラインＬ８において給湯の温度ｔ２を所定温度（希望する風呂の温度に対して、流路での熱損失分を加算した温度領域）にしたい場合の制御である。
先ず第２の温度センサＴ２によって給湯ラインＬ８を流過する湯の温度（ｔ２）を計測する（ステップＳ１１）。
【００３３】
制御装置１２は給湯ラインＬ８を流過する湯の温度ｔ２が所定範囲内であるか否かを判断しており（ステップＳ１２）、所定温度範囲であれば（ステップＳ１２のＹＥＳ）、ステップＳ１６まで進み、所定温度範囲内でない場合は（ステップＳ１２のＮＯ）ステップＳ１３に進む。
【００３４】
ステップＳ１３では制御装置１２は湯の温度ｔ２が所定範囲未満かそれとも所定範囲を超えているかを判断しており、所定範囲未満であれば第２の制御弁Ｖ２の開度を小さくし給水量を押さえて湯の温度を上げ（ステップＳ１４）、反対に所定範囲を超えていれば第２の制御弁Ｖ２の開度を大きくして給水量を増やし、湯の温度を下げる（ステップＳ１５）。
【００３５】
その後、制御装置１２は制御を終了するか否かを判断して（ステップＳ１６）、制御終了であればそのまま終了する。一方終了しないのであれば（ステップＳ１６のＮＯ）、ステップＳ１に戻り、再び同様の制御を繰り返す。
図示されてはいないが、図１の排熱循環ラインＬ１１にラジエータを介装して、風呂等への給湯がない場合でも、燃料電池１の冷却水を当該ラジエータで冷却する様に構成することにより、燃料電池１の運転を継続することが出来る。
【００３６】
次に図２、図５及び図６を参照して第２実施形態を説明する。
図２、図５及び図６の第２実施形態は、図１、図３及び図４の第１実施形態に対して、給水ラインに貯湯タンク３、減圧弁２０及び混合弁６を増設した実施形態である。
【００３７】
給水源５からのラインＬ１２が減圧弁２０と混合弁６とを介して給湯用の第１のバックアップバーナ７ａへのラインＬ１に接続される。
前記減圧弁２０からの給水は一方においてラインＬ１２から分岐点Ｂ１で分岐するラインＬ１３を介してタンク３の低温側（下方）に接続され、また他方において混合弁６からのラインＬ１４がタンク３の高温側（上方）に接続される。
【００３８】
タンク３からの低温側の第１のラインＬ１５は第３のポンプＰ３及び弁ＶＰ２を介して前記熱交換器２の上流側（ラインＬ６の合流点Ｇ３）に接続され、タンク３からの高温側の第２のラインＬ１６は弁ＶＰ３を介して熱交換器２の下流側（ラインＬ８の合流点Ｇ４）に接続されている。尚、前記ラインＬ６の分岐点Ｂ３側には弁ＶＥが介装されている。
【００３９】
次に図５を参照して、第２実施形態において、燃料電池の排熱を利用して貯湯タンク３に貯湯した後に、風呂１１へ湯を給湯する場合の制御方法について説明する。
【００４０】
先ず温度センサＴ３を用いて貯湯槽３の湯温ｔ３を計測し（ステップＳ２１）、制御装置１２は貯湯タンク３が満タン状態、即ち、所定の温度以上の湯でタンク３が満たされているか否かを判断する（ステップＳ２２）。
【００４１】
所定の温度以上の湯で貯湯タンク３が満たされていなければ（ステップＳ２２のＮＯ）、弁ＶＥ、第１の制御弁Ｖ１及び開閉弁Ｖ３を閉じ、弁ＶＰ２，ＶＰ３を開き、ポンプＰ３を作動させる（ステップＳ２３）。即ち、タンク３内の所定温度以下の水をタンク３と燃料電池１の熱交換器２の間を循環させながらタンク３内の湯の温度を上げていく。
【００４２】
次に、第１の温度センサＴ１で燃料電池１のスタック１ａの出口温度ｔ１を計測し（ステップＳ２５）、制御装置１２はスタック出口温度ｔ１が所定範囲内であるか否かを判断しており（ステップＳ２６）、所定温度範囲であれば（ステップＳ２６のＹＥＳ）、ステップＳ２１に戻って再びステップＳ２１以降を繰り返す。
一方、所定温度範囲内でない場合（ステップＳ２６のＮＯ）は、ステップＳ２７に進む。
【００４３】
ステップＳ２７では制御装置１２はスタック出口温度ｔ１が所定範囲未満かそれとも所定範囲を超えているかを判断しており、所定範囲未満であれば循環ポンプＰ３の吐出量を減少させ、循環する湯の速度を遅くしてスタック出口温度ｔ１が所定範囲に昇温するように調節する（ステップＳ２８）。その後ステップＳ２１に戻り再びステップＳ２１以降を繰り返す。
【００４４】
一方、所定範囲を超えていれば循環ポンプＰ３の吐出量を増やし、スタック出口温度ｔ１が所定範囲まで降温するように（燃料電池の効率を上げるように）調節する（ステップＳ２９）。その後ステップＳ２１に戻り再びステップＳ２１以降を繰り返す。
即ち、ステップＳ２５〜ステップＳ２９までの制御では、燃料電池１が効率よく運転出来るように燃料電池１の熱交換器２を循環するお湯の量を調節する制御が行われる。
【００４５】
所定の温度以上の湯で貯湯タンク３が満たされていれば（ステップＳ２２のＹＥＳ）、弁ＶＥ、第１の制御弁Ｖ１、開閉弁Ｖ３を開き、ラインＬ１５に介装したポンプＰ３を不作動とし、弁ＶＰ２、ＶＰ３を閉じた（ステップＳ２４）後、図３と図４の制御ルーチン（制御フローチャート）へ移行する。尚、その際ラインＬ５とラインＬ９を連通するバイパスラインＬｂ２に介装した開閉バルブＶ１０は閉じた状態である。
【００４６】
次に図６を参照して第２実施形態における給湯及びタンクへの貯湯の制御方法を説明する。
図５の制御方法は、先ず、貯湯タンク３を満たした後、風呂１１への給湯を行う制御である。それに対して、図６の制御は、風呂１１への給湯を行った後、タンク３に貯湯する制御方法である。
【００４７】
図６のステップＳ３１は図５のステップＳ２４と同じ（風呂への給湯）であり（ステップＳ２４の再掲）、ステップＳ３１を終えた後、図３と図４の制御（湯加減の制御）を行い、それが終了してステップＳ３２では弁ＶＥ、第１の制御弁Ｖ１回閉弁Ｖ３を閉じ、弁ＶＰ２、ＶＰ３を開け、ポンプＰ３を作動させる。
【００４８】
そして貯湯タンク３の温度センサＴ３によってタンク内の湯温ｔ３を計測し（ステップＳ３３）、制御装置１２はタンク３が満タンになっているか否かを判断する（ステップＳ３４）。タンク３が満タン状態であれば（ステップＳ３４のＹＥＳ）、燃料電池１の運転を終了する、或いはラインＬ１１に介装された図示しないラジエータを作動させる（ステップＳ３５）。タンク３が満タンになっていなければ（ステップＳ３４のＮＯ）、第１の温度センサＴ１で燃料電池１のスタック１ａの出口温度ｔ１を計測し（ステップＳ３６）、制御装置１２はスタック出口温度ｔ１が所定範囲内であるか否かを判断する（ステップＳ３７）。
【００４９】
所定温度範囲であれば（ステップＳ３７のＹＥＳ）、ステップＳ３３に戻って再びステップＳ３３以降を繰り返す。
一方、所定温度範囲内でない場合（ステップＳ３７のＮＯ）は、ステップＳ３８に進む。
【００５０】
ステップＳ３８では制御装置１２はスタック出口温度ｔ１が所定範囲未満かそれとも所定範囲を超えているかを判断しており、所定範囲未満であれば循環ポンプＰ３の吐出量を減少させ、循環する湯の速度を遅くしてスタック出口温度ｔ１が所定範囲に昇温するように調節する（ステップＳ３９）。その後ステップＳ３３に戻り再びステップＳ３３以降を繰り返す。
【００５１】
一方、所定範囲を超えていれば循環ポンプＰ３の吐出量を増やし、スタック出口温度ｔ１が所定範囲まで降温するように調節する（ステップＳ４０）。その後ステップＳ３３に戻り再びステップＳ３３以降を繰り返す。
【００５２】
上述のような構成及び制御方法を有する第１実施形態及び第２実施形態によれば、燃料電池の運転に不可欠なスタック温度制御（第１の制御弁Ｖ１を用いての制御）と、風呂お湯張り温度制御（第２の制御弁Ｖ２を用いての制御）が分けられているので、燃料電池１の安定した運転と、設定温度での浴槽貯湯が両立出来る。また、燃料電池から回収した温水を浴槽に貯めることでタンクが省略出来る。
また、貯湯槽を増設する場合（第２実施形態）は、熱回収率が向上する。
【００５３】
図示の実施形態はあくまでも例示であり、本発明の技術範囲を限定する趣旨の記述ではない旨を付記する。
【図面の簡単な説明】
【００５４】
【図１】本発明の第１実施形態の全体構成を示すブロック図。
【図２】本発明の第２実施形態の全体構成を示すブロック図。
【図３】第１実施形態における、スタック出口温度を一定にするための制御フローチャート。
【図４】第１実施形態における、給湯温度を一定にするための制御フローチャート。
【図５】第２実施形態における、貯湯タンクから浴槽に湯を給湯する場合の制御を示すフローチャート。
【図６】第２実施形態における、給湯及びタンクへの貯湯の制御を示すフローチャート。
【図７】従来技術のコージェネレーションシステムの一例を示すブロック図。
【図８】図７とは異なる従来技術の例を示すブロック図。
【符号の説明】
【００５５】
１・・・燃料電池
２・・・熱交換器
３・・・タンク／貯湯タンク
５・・・給水源
６・・・混合弁
７ａ・・・第１のバックアップバーナ
７ｂ・・・第２のバックアップバーナ
８・・・給湯部
１０、２３・・・逆止弁／一方向弁
１１・・・浴槽／風呂
１２・・・制御装置
２０・・・減圧弁
３０・・・給湯器
Ｂ１〜Ｂ３・・・分岐点
Ｇ１〜Ｇ４・・・合流点
Ｌ１〜Ｌ１６・・温水ライン
Ｐ１〜Ｐ３・・・ポンプ
Ｔ１〜Ｔ１０・・・温度センサ
Ｖ１〜Ｖ６・・・開閉弁
【図１】
2008107083.tif 000003
【図２】
2008107083.tif 000004
【図３】
2008107083.tif 000005
【図４】
2008107083.tif 000006
【図５】
2008107083.tif 000007
【図６】
2008107083.tif 000008
【図７】
2008107083.tif 000009
【図８】
2008107083.tif 000010